(57)【要約】【課題】鍵盤楽器の鍵支持構造において、鍵盤装置を大型化せずに簡単な構成で、鍵の捻れ（ローリング）を防止する。【解決手段】鍵ユニット１０の鍵（白鍵）１１において、薄肉部１２で構成されるヒンジ機構Ｈの近傍に被規制壁部材１４を立設する。鍵盤フレームの鍵支持部２０ａに規制壁部材１５を取り付ける。被規制壁部材１４と規制壁部材１５とを延長部１３の上部の位置で近接させる。被規制壁部材１４と規制壁部材１５との対向面を被規制壁１４ａ、規制壁１５ａとする。鍵１１を押鍵するとき、ローリング軸Ｒを回動軸として矢印（ハ）のように回転する回動動作（ローリング）が生じる傾向にある。鍵１１が僅かに回動するだけで、被規制壁１４ａが規制壁１５ａに接触し、回動動作を規制する。【選択図】図２
2008076720.tif 000002
【特許請求の範囲】
【請求項１】
鍵盤フレームと、鍵と、該鍵の後端部に設けられた薄肉部からなるヒンジ機構をと有し、該ヒンジ機構により前記鍵を前記鍵盤フレームに対して回動自在に支持するようにした鍵盤楽器の鍵支持構造において、
前記ヒンジ機構の近傍で前記薄肉部よりも鍵先端側部位に設けられた被規制壁と、
前記鍵盤フレームに対して固定された規制壁と、
が設けられ、
前記被規制壁または前記規制壁の少なくとも何れか一方は鍵の回動軸に垂直な面で構成されるとともに、該被規制壁と規制壁とが近接配置されていることを特徴とする鍵盤楽器の鍵支持構造。
【請求項２】
前記被規制壁と前記規制壁との間に弾性体が介在されていることを特徴とする請求項１に記載の鍵盤楽器の鍵支持構造。
【請求項３】
前記被規制壁と前記規制壁とが接触開始するときに該被規制壁と規制壁との接触位置となる主要摺動接触位置が、前記鍵の回動軸から上下方向で最も離れた位置に存在することを特徴とする請求項１に記載の鍵盤楽器の鍵支持構造。
【請求項４】
前記薄肉部に連結形成され該薄肉部を前記鍵盤フレーム側に固定するための延長部と、該延長部を前記鍵盤フレーム側に締結保持する支持体とを有し、
前記規制壁が前記支持体に設けられたことを特徴とする請求項１に記載の鍵盤楽器の鍵支持構造。
【請求項５】
前記鍵盤フレームに対する前記支持体の位置決め機構と、該鍵盤フレームに対する前記鍵の位置決め機構とが共通であることを特徴とする請求項４に記載の鍵盤楽器の鍵支持構造。
【請求項６】
前記被規制壁と規制壁とが単鍵当たり２対設けられ、該鍵の長手方向を軸とする回動動作に対して被規制壁と規制壁との対の各対が互いに逆方向に規制するように該両対が配置されていることを特徴とする請求項１に記載の鍵盤楽器の鍵支持構造。
【請求項７】
前記規制壁または被規制壁の周縁部の少なくとも何れか一方に、該規制壁と被規制壁との対向状態へと誘導する誘導部を設けたことを特徴とする請求項１に記載の鍵盤楽器の鍵支持構造。
【請求項８】
前記薄肉部の前記鍵と反対側に、該鍵を水平方向回転自在とする回転機構を有し、
前記規制壁と被規制壁との接触点の軌跡が、前記回転機構の回転軸を軸とする略同心円筒の一部となるように構成されたことを特徴とする請求項１に記載の鍵盤楽器の鍵支持構造。
【請求項９】
複数鍵に対応する前記規制壁の複数が一体構造により構成されていることを特徴とする請求項１に記載の鍵盤楽器の鍵支持構造。
【発明の詳細な説明】
【技術分野】
【０００１】
本発明は、鍵が鍵盤フレームに回動自在に取り付けられ、特に薄肉部からなるヒンジ機構により鍵が支持された鍵盤楽器の鍵支持構造に関する。
【背景技術】
【０００２】
従来、この種の鍵支持構造として、例えば特許２６２８６５６号公報（特許文献１）、特開平１０−１４９１５１号公報（特許文献２）等に開示されたものがある。特許文献１のものは、鍵本体部の後端と略同一幅の水平薄板片からなる第１ヒンジ部と、鍵本体部の長手方向に沿う垂直薄板片からなる第２ヒンジ部とを有し、支点取り付け部に対し鍵本体部を上下方向及び幅方向に揺動可能に支持することで、鍵の配列を調整可能にしたものである。
【０００３】
また、特許文献２のものは、押鍵ストロークの上限を規制する上限ストッパに対して、鍵下のゴムスイッチの反力が押離鍵方向において、鍵の揺動中心とゴムスイッチとを通る一直線上で作用すようにし、組み立て状態での鍵の捻れを防止するものである。
【０００４】
一般に鍵盤装置においては、押鍵時の鍵の捻れ（ローリング）を防止するために鍵ガイドが設けられている。特に上記のような薄型のヒンジ機構で鍵を保持するものにおいては、押鍵時に鍵が捩れるとヒンジ機構が劣化したり、鍵の押す状態によっては鍵スイッチの入りが悪くなったりすることがあり、鍵ガイドを必要としていた。この鍵ガイド機構は、鍵を支持する鍵盤フレームに立設したガイド部材を鍵下において鍵の内側に配置し、ガイド部材に対して鍵の内面を摺接させることにより、鍵を垂直にガイドするものである。例えば、特許文献１のものでは、鍵本体部２１に垂下突設されたガイド２４をフレーム２７のキーガイド用スリット２９に遊挿せる構造となっている。
【特許文献１】特許２６２８６５６号公報
【特許文献２】特開平１０−１４９１５１号公報
【発明の開示】
【発明が解決しようとする課題】
【０００５】
前記のような鍵ガイド機構には様々なものがあるが、この鍵ガイド機構は、一般に鍵と鍵盤フレームとの間で鍵の中程から先端側に配置する構成となっている。しかしながら、鍵下には鍵スイッチやこの鍵スイッチを搭載する基板等が配設され、これに加えて鍵ガイドを設けるためため、鍵盤装置全体が大型化するという問題があった。また、鍵をガイドする位置が鍵の回動支点位置（ヒンジ機構による取り付け位置）から離れているため、鍵ガイドのガイド部材と被ガイド部材との互いの精度がよくないと、通常の押鍵時でも擦れてしまうこともあった。
【０００６】
本発明は、鍵盤装置を大型化せずに簡単な構成で、鍵の捻れ（ローリング）を防止した新規な鍵支持構造を提供することを課題とする。
【課題を解決するための手段】
【０００７】
請求項１の鍵盤楽器の鍵支持構造は、薄肉部からなるヒンジ機構により鍵を鍵盤フレームに対して回動自在に支持するようにした鍵盤楽器の鍵支持構造において、ヒンジ機構の近傍に、薄肉部よりも鍵先端側部位に設けられた被規制壁と、鍵盤フレームに対して固定された（固定関係にある）規制壁とを設け、被規制壁または規制壁の少なくとも何れか一方を鍵の回動軸に垂直な面で構成し、被規制壁と規制壁とが近接配置して、この被規制壁が規制壁に接触することにより鍵の長手方向を軸とする回動動作（ローリング）を規制するようにした。
【０００８】
請求項２の鍵盤楽器の鍵支持構造は、請求項１において、被規制壁と規制壁との間に弾性体を介在させるようにした。
【０００９】
請求項３の鍵盤楽器の鍵支持構造は、請求項１において、被規制壁と規制壁とが接触開始するときの主要摺動接触位置を、鍵の回動軸から上下方向で最も離れた位置となるようにし、鍵の長手方向を軸とする回動動作（ローリング）の回動軸から主要摺動接触位置までの距離（モーメントの腕長）を長くするようにした。
【００１０】
請求項４の鍵盤楽器の鍵支持構造は、請求項１において、薄肉部の鍵と反対側に延長部を連結形成し、この延長部を支持体により鍵盤フレーム側に締結保持するようにし、規制壁をこの支持体に設けるようにした。規制壁と支持体は一体形成でもよいし別体のものを互いに組み付けるようにしてもよい。
【００１１】
請求項５の鍵盤楽器の鍵支持構造は、請求項４において、鍵盤フレームに対する支持体の位置決め機構と、該鍵盤フレームに対する鍵の位置決め機構とを共通にした。
【００１２】
請求項６の鍵盤楽器の鍵支持構造は、請求項１において、被規制壁と規制壁とを単鍵当たり２対設け、鍵の長手方向を軸とする回動動作（ローリング）に対して被規制壁と規制壁との対の各対で互いに逆方向に規制するようにした。
【００１３】
請求項７の鍵盤楽器の鍵支持構造は、請求項１において、規制壁を構成する部材と被規制壁を構成する部材との組み付け時に、規制壁と被規制壁との対向状態へと誘導する誘導部を設けた。この誘導部は規制壁または被規制壁の周縁部の少なくとも何れか一方に設けた。
【００１４】
請求項８の鍵盤楽器の鍵支持構造は、請求項１において、薄肉部の鍵と反対側に、鍵を水平方向回転自在とする回転機構を設け、規制壁と被規制壁との接触点の軌跡が、回転機構の回転軸を軸とする略同心円筒の一部となるようにした。
【００１５】
請求項９の鍵盤楽器の鍵支持構造は、請求項１において、複数鍵の各鍵に対応する複数の規制壁の各々を一体構造により構成するようにした。
【発明の効果】
【００１６】
請求項１の鍵盤楽器の鍵支持構造によれば、押鍵操作により鍵の長手方向を軸とする回動動作（ローリング）で被規制壁が所定量倒れると規制壁に支えられるので、鍵のローリング限度を設定でき、例えば鍵の先端部側等に鍵ガイドを必要としない。
【００１７】
請求項２の鍵盤楽器の鍵支持構造によれば、請求項１の効果に加えて、被規制壁が規制壁に支えられる際に衝撃音がなく、雑音（メカ雑）の発生を防止できる。
【００１８】
請求項３の鍵盤楽器の鍵支持構造によれば、請求項１の効果に加えて、鍵の長手方向を軸とする回動動作（ローリング）の回動軸から主要摺動接触位置までの距離（モーメントの腕長）が長くなり、鍵のローリング規制力を十分確保できる。
【００１９】
請求項４の鍵盤楽器の鍵支持構造によれば、請求項１の効果に加えて、薄肉部に連結形成した延長部を支持体により鍵盤フレーム側に締結保持する際に、同時にローリング規制機構を実装できるので、鍵の角度／位置を適切に保ちつつ組み立てることができ、組み立て時の作業性が向上する。
【００２０】
請求項５の鍵盤楽器の鍵支持構造によれば、請求項４の効果に加えて、規制壁と被規制壁との相対位置が、他部材を介さず唯一の位置決め機構で規定されるので、規制壁と被規制壁との相対的位置の精度が向上する。
【００２１】
請求項６の鍵盤楽器の鍵支持構造によれば、請求項１の効果に加えて、鍵のローリングの左右回転の双方向に対して規制機構が存在することになるので、双方向のローリング規制機構を簡易的な構造で実現できる。
【００２２】
請求項７の鍵盤楽器の鍵支持構造によれば、請求項１の効果に加えて、組み付け時に、規制壁と被規制壁との相対位置が概略想定範囲に収まれば、以後は誘導部により誘導されるので、組み立て時の作業性が向上する。
【００２３】
請求項８の鍵盤楽器の鍵支持構造によれば、請求項１の効果に加えて、鍵の水平方向回転時に接点が存続すればローリングに対する規制力伝達点が存在し、その軌跡が同心円筒であるので、回転機構の回転軸に対して鍵が回転自在となり、鍵の水平方面内の回転角度に対しては規制を開放状態としながら、かつ、鍵のローリングを規制することができる。
【００２４】
請求項９の鍵盤楽器の鍵支持構造によれば、請求項１の効果に加えて、複数の規制壁の相対位置が正確に決まり、複数鍵の鍵上面側（鍵先端側）の鍵並び方向の整列精度が向上する。
【発明を実施するための最良の形態】
【００２５】
以下、図面を参照して本発明の実施の形態について説明する。なお、以下の各実施形態において、同様な要素には同符号を付記して説明する。図１は第１実施形態の鍵支持構造を適用した鍵盤装置の要部側断面図（図１(A) ）及び背面図（図１(B) ）、図２は第１実施形態の作用説明図である。同図はＣ鍵またはＦ鍵の例を示しているが、Ｂ鍵とＥ鍵はこれを左右反転した構造になっていることは周知のとおりである。なお、図１(A) において図面の左側が演奏者側、図１(A) の図面に直角な方向が鍵並び方向である。以下の説明において、鍵盤装置の「上下左右」は演奏時の演奏者側から見た正立状態における「上下左右」の意味とする。また、「前後方向（あるいは手前と奥）」を指す場合、演奏者側を「前、手前」、背面側を「後、奥」とする。
【００２６】
この鍵盤装置は例えば電子鍵盤楽器のものであり、鍵ユニット１０と鍵盤フレーム２０を備えている。鍵ユニット１０は、鍵１１と、その後端部に一体に設けられた水平に平板状の薄肉部１２と、この薄肉部１２のさらに後端部に連結形成された延長部１３とを有してている。これらの鍵１１、薄肉部１２及び延長部１３は白色の合成樹脂で一体成形したものである。鍵盤フレーム２０は例えば硬質樹脂等により形成されており、後方の鍵支持部２０ａに鍵ユニット１０の延長部１３がネジＮ１によりネジ止めされている。そして、鍵ユニット１０の薄肉部１２はその弾性により鍵１１を水平に保持するヒンジ機構Ｈとなっている。これにより、鍵１１は鍵盤フレーム２０に対して回動軸Ｏを軸にして回動自在に支持されている。
【００２７】
鍵ユニット１０において、ヒンジ機構Ｈの近傍には薄肉部１２よりも鍵先端側部位に被規制壁部材１４が立設されている。この被規制壁部材１４は金属材板で形成されており、鍵１１に対してネジＮ２によりネジ止めされている。また、鍵盤フレーム２０の鍵支持部２０ａの後端面には規制壁部材１５が取り付けられている。この規制壁部材１５は金属材で形成されており、鍵支持部２０ａに対してネジＮ３によりネジ止めされている。被規制壁部材１４は鍵１１から後方に延設され、規制壁部材１５は鍵支持部２０ａの後端面から上方に延設され、被規制壁部材１４と規制壁部材１５とは延長部１３の上部の位置で近接されている。そして、図１(B) に示すように、この被規制壁部材１４と規制壁部材１５との対向面はそれぞれ被規制壁１４ａ、規制壁１５ａとされ、この被規制壁１４ａと規制壁１５ａとの隙間は、鍵１１の非押鍵時において微小な所定間隔ｄ１となるように設定されている。
【００２８】
これにより、規制壁１５ａは鍵盤フレーム２０に対して固定関係にある。また、被規制壁１４ａは鍵１１の回動軸Ｏに垂直な面で構成されるとともに、この被規制壁１４ａと規制壁１５ａとが近接配置されている。ここで、垂直な面の「面」とは、例えばこの実施形態の被規制壁１４ａのように鍵１１の長手方向にも幅を有する「広い面」に限らず、例えば垂直方向に細長い（実質的に線状の）面でもよく、規制壁１５ａに当接するようなものも含む概念である。このことは他の実施形態における「被規制壁」あるいは「規制壁」についても同様である。なお、規制壁１５ａが鍵１１の回動軸Ｏに垂直な面で構成されていてもよい。すなわち、被規制壁１４ａまたは規制壁１５ａの少なくとも何れか一方が鍵１１の回動軸Ｏに垂直な面で構成されていればよい。
【００２９】
この実施形態の鍵１１は白鍵であり、鍵１１は、演奏時の主な押鍵面を構成する演奏者側の幅広部１１Ａと、この幅広部１１Ａから後端部側に形成された幅狭部１１Ｂとで構成されており、この幅狭部１１Ｂの側部は黒鍵を配置するための黒鍵用スペース１１Ｃとなっている。また、この例では、鍵１１は「Ｃ鍵」または「Ｆ鍵」の例であり、黒鍵用スペース１１Ｃは幅狭部１１Ｂの右側のみに形成されている。このため、幅狭部１１Ｂの中心は幅広部１１Ａの中心から左側に偏っており、また、ヒンジ機構Ｈを構成する薄肉部１２はこの幅狭部１１Ｂと中心を同軸にして連結形成されている。したがって、図２に示すように、鍵１１を押鍵するとき、矢印（イ）のように右端を押鍵した場合はもとより矢印（ロ）のように中央を押鍵しても、鍵１１の長手方向のローリング軸Ｒを回動軸として矢印（ハ）のように右回りに鍵１１が回転するような回動動作（ローリング）が生じる傾向にある。
【００３０】
これに対して、被規制壁部材１４は幅狭部１１Ｂ上において黒鍵用スペース１１Ｃと反対側に立設され、規制壁部材１５は被規制壁部材１４に対して黒鍵用スペース１１Ｃ側に配置されている。したがって、鍵１１が回動（ローリング）しようとすると、僅かに回動するだけで、被規制壁１４ａが規制壁１５ａに接触し、この回動動作が規制される。この被規制壁１４ａと規制壁１５ａは鍵１１の回動規制機構を構成している。なお、被規制壁部材１４は鍵１１と一体に形成したものでもよく、規制壁部材１５は鍵盤フレーム２０と一体に形成したものでもよい。
【００３１】
このように、黒鍵用スペースが鍵の片側にだけに有るような鍵（Ｃ鍵、Ｆ鍵、Ｂ鍵及びＥ鍵）の場合には、被規制壁と規制壁による回動規制機構を、鍵が黒鍵用スペース側に回動するのを規制するように設けるのが効果的である。なお、黒鍵用スペースが鍵の両側にあるような鍵（「Ｄ鍵」、「Ｇ鍵」及び「Ａ鍵」）の場合には、後述の実施形態のように、被規制壁と規制壁による回動規制機構を一対設け、両側への回動を規制するように設けるのが適している。
【００３２】
図３は第１実施形態の変形例を示す斜視図であり、この前記の構成に加えて、被規制壁部材１４の被規制壁１４ａに弾性体３０を取り付けたものであり、被規制壁１４ａと規制壁１５ａとの間に弾性体３０が介在されている。これにより、被規制壁１４ａが規制壁１５ａに支えられる際に衝撃音がなく、雑音（メカ雑）の発生を防止できる。
【００３３】
図４は第２実施形態の鍵支持構造を適用した鍵盤装置の要部側面図（図４(A) ）及び断面図（図４(B) ）であり、図４(B) は図４(A) のＡ−Ａ矢視断面を示す。この実施形態は、鍵１１の幅狭部１１Ｂの下面の薄肉部１２側において、鍵盤フレーム２０側に垂下された被規制壁部２４が該鍵１１と一体に形成されている。すなわち、ヒンジ機構Ｈの近傍で薄肉部１２よりも鍵１１の先端側部位に被規制壁部２４が設けられている。この被規制壁部２４は、幅狭部１１Ｂの黒鍵用スペース１１Ｃ側の側面から形成されている。また、鍵盤フレーム２０には被規制壁部２４に対応する位置に前後に縦長の切り溝２５が形成されており、被規制壁部２４の先端（下端）が切り溝２５内に嵌挿されている。そして、被規制壁部２４と切り溝２５との一方の対向面はそれぞれ被規制壁２４ａ、規制壁２５ａとされ、この被規制壁２４ａと規制壁２５ａとの隙間は、鍵１１の非押鍵時において微小な所定間隔ｄ２となるように設定されている。これにより、規制壁２５ａは鍵盤フレーム２０に対して固定関係にある。また、被規制壁２４ａは鍵１１の回動軸Ｏに垂直な面で構成されるとともに、この被規制壁２４ａと規制壁２５ａとが近接配置されている。
【００３４】
この実施形態も鍵１１は「Ｃ鍵」または「Ｆ鍵」の例であり、図４(B) に示すように、鍵１１を押鍵すると、鍵１１の長手方向のローリング軸Ｒを回動軸として矢印（ハ）のように左回り（演奏者側から見て右回り）に鍵１１が回転するような回動動作が生じやすい。この場合も、鍵１１が回動（ローリング）しようとすると、僅かに回動するだけで被規制壁部２４の被規制壁２４ａは黒鍵用スペース１１Ｃと反対側において切り溝２５の規制壁２５ａに接触し、この回動動作が規制される。
【００３５】
ここで、被規制壁２４ａと規制壁２５ａとは非押鍵時において微小な所定間隔ｄ２を隔てているので、押鍵時のローリングにより接触し始める。この被規制壁２４ａと規制壁２５ａとが接触開始するときに、この被規制壁２４ａと規制壁２５ａとの接触位置となる部分が主要摺動接触位置Ｓである。そして、図４(A) に示すように、この主要摺動接触位置Ｓは、被規制壁部２４と切り溝２５とで構成される回動規制機構において、鍵１１の回動軸Ｏから上下方向で最も離れた位置に存在する。また、ローリング軸Ｒの位置は鍵１１の回動軸Ｏの近傍に現れるので、図４(B) に示すようにローリング軸Ｒから主要摺動接触位置Ｓまでの距離すなわちローリング規制時のモーメントの腕長が長くなり、鍵１１のローリング規制力を十分確保できる。なお、被規制壁部２４と鍵１１は別部材で形成してもよいし、規制壁２５ａは鍵盤フレーム２０と別部材のものにより鍵盤フレーム２０に対して固定関係とするようにしてもよい。
【００３６】
図５は第３実施形態の鍵支持構造を適用した鍵盤装置の要部側面図（図５(A) ）及び背面図（図５(B) ）である。この実施形態は、鍵１１の幅狭部１１Ｂの上面の薄肉部１２側において、上方に立設された被規制壁部３４が該鍵１１と一体に形成されている。すなわち、ヒンジ機構Ｈの近傍で薄肉部１２よりも鍵１１の先端側部位に被規制壁部３４が設けられている。この被規制壁部３４は、幅狭部１１Ｂの上面において黒鍵用スペース１１Ｃと反対側に形成されている。また、鍵ユニット１０の延長部１３は支持体１６を介してネジＮ４により鍵盤フレーム２０の鍵支持部２０ａにネジ止め固定されている。
【００３７】
支持体１６の後端面には規制壁部材３５が設けられている。この規制壁部材３５は金属材で形成されており、支持体１６に対してネジＮ５によりネジ止めされている。また、規制壁部材３５の先端は鍵１１の幅狭部１１Ｂの後部上方まで延設されており、被規制壁部３４と規制壁部材３５とは近接されている。そして、被規制壁部３４と規制壁部材３５との対向面はそれぞれ被規制壁３４ａ、規制壁３５ａとされ、この被規制壁３４ａと規制壁３５ａとの隙間は、鍵１１の非押鍵時において微小な所定間隔ｄ３となるように設定されている。これにより、規制壁３５ａは鍵盤フレーム２０に対して固定関係にある。また、被規制壁３４ａは鍵１１の回動軸Ｏに垂直な面で構成されるとともに、この被規制壁３４ａと規制壁３５ａとが近接配置されている。
【００３８】
この第３実施形態の回動規制機構の作用は第１実施形態と略同様であり、鍵１１が回動（ローリング）しようとすると、僅かに回動するだけで被規制壁部３４の被規制壁３４ａが黒鍵用スペース１１Ｃと反対側において規制壁部材３５の規制壁３５ａに接触し、この回動動作が規制される。なお、被規制壁部３４と鍵１１は別部材で形成してもよいし、規制壁部材３５は支持体１６と一体に形成したものでもよい。
【００３９】
ここで、第１〜第３実施形態では、鍵盤装置における複数鍵（鍵１１）がそれぞれ別体の鍵ユニット１０によって構成されている。すなわち複数鍵に対応する各々の鍵ユニット１０は独立である。したがって、各鍵ユニット１０を鍵盤フレーム２０に固定する前の仮置き状態では、各鍵ユニット１０はそれぞれ勝手な方向に傾いている。このため、第１及び第２実施形態では鍵ユニット１０（延長部１３）を鍵盤フレーム２０に固定する際に、位置を正さなければならない。これに対して、この第３実施形態では、被規制壁部３４を有する鍵ユニット１０を、規制壁部材３５を有する支持体１６によって固定するので、この被規制壁部３４と規制壁部材３５とで構成されるローリング規制機構を同時に実装でき、鍵ユニット１０の角度／位置を適切に保ちつつ組み立てることができる。
【００４０】
図６は第４実施形態の鍵支持構造を適用した鍵盤装置の要部分解斜視図である。この実施形態は、複数の鍵ユニット１０を共通の支持体４６により固定するものである。鍵盤フレーム２０の鍵支持部２０ａの上面には、鍵並び方向に各鍵ユニット１０に対応する位置決め突起２０ｂが併設され、各鍵ユニット１０の延長部１３には位置決め孔１３ａが形成されている。また、支持体４６には、位置決め突起２０ｂに対応する位置決め孔４６ａが形成されている。そして、鍵ユニット１０の延長部１３の位置決め孔１３ａを位置決め突起２０ｂに嵌合し、その上に支持体４６の位置決め孔４６ａを嵌合し、延長部１３が支持体４６を介してネジＮ６により鍵支持部２０ａにネジ止め固定される。
【００４１】
鍵１１の幅狭部１１Ｂの薄肉部１２側には被規制壁部４４が該鍵１１と一体に形成され、支持体４６には、各鍵ユニット１０の被規制壁部４４に対応する複数の規制壁部４５が形成されている。そして、組み付け状態において、被規制壁部４４の被規制壁４４ａと、これに対応する規制壁部４５の規制壁４５ａとが近接配置される。この実施形態は図示の２つの鍵１１，１１は、一方がＣ鍵、他方がＢ鍵であり、Ｃ鍵の被規制壁４４ａと規制壁４５ａとは前記第１及び第２実施形態と同じ方向のローリングを規制するように作用する。他方のＢ鍵の被規制壁４４ａと規制壁４５ａとは前記第１及び第２実施形態と逆方向のローリングを規制するように作用する。
【００４２】
ここで、この実施形態では、被規制壁部４４を有する鍵ユニット１０を、規制壁部材４５を有する支持体４６によって固定するので、第３実施形態と同様にローリング規制機構を同時に実装できる。さらに、鍵盤フレーム２０の位置決め突起２０ｂは、鍵盤フレーム２０に対する支持体４６の位置決め機構であるとともに、鍵盤フレーム２０に対する鍵１１の位置決め機構でもある。したがって、規制壁４５ａと被規制壁４４ａとの相対位置が唯一の位置決め機構で規定されるので、規制壁４５ａと被規制壁４４ａとの相対的位置の精度が向上する。
【００４３】
図７は第５実施形態の鍵支持構造を適用した鍵盤装置の要部分解斜視図である。この実施形態は、鍵１１が例えばＤ鍵の例であり、鍵１１には幅狭部１１Ｂの左右に黒鍵用スペース１１Ｃがある。幅狭部１１Ｂの上面の薄肉部１２側には、２つの対向する被規制壁部５４，５４が該鍵１１と一体に立設するように形成されている。また、薄肉部１２に連結された延長部１３には略円柱状の縦溝１３ｂが形成され、この縦溝１３ｂは延長部１３の後端部において水平断面円弧状の摺動面１３ｂ１，１３ｂ１を対向させて切り欠かれている。
【００４４】
支持体５６には、鍵１１側に延びる規制壁部５５が形成され、この規制壁部５５の先端には水平断面円形の当接部５５１が形成されている。また、支持体５６の裏側には鍵ユニット１０の延長部１３が遊嵌される段部５６ａが形成されて、さらに、この段部５６ａには延長部１３の縦溝１３ｂに嵌合する円柱状のボス５６ｂが形成されている。
【００４５】
そして、鍵ユニット１０は、延長部１３を支持体５６の段部５６ａ内に挿入し、この延長部１３の摺動面１３ｂ１，１３ｂ１の間を介してボス５６ｂを縦溝１３ｂに嵌合することにより支持体４６に取り付けられる。なお、支持体４６は図示いない固定手段により鍵盤フレーム２０の鍵支持部２０ａに固定される。また、この組み付け状態において、規制壁部５５の当接部５５１が鍵１１側の２つの被規制壁部５４，５４の間に嵌合される。これにより、被規制壁部５４，５４と規制壁部５５の当接部５５１との対向面はそれぞれ被規制壁５４ａ，５４ａ、規制壁５５ａ，５５ａとされる。すなわち、被規制壁５４ａと規制壁５５ａとが１つの鍵１１（単鍵）当たり２対設けられている。これにより、鍵１１の長手方向のローリング軸Ｒを回動軸として矢印（ハ）のように左回り及び右回りに鍵１１が回転するようなローリングに対して、何れの方向でも、僅かに回動するだけで被規制壁５４ａが規制壁５５ａに接触し、この回動動作が規制される。このように、鍵１１のローリングの左右回転の双方向のローリング規制機構を簡易的に構成できる。
【００４６】
図８は第６実施形態の鍵支持構造の要部分解斜視図である。こ実施形態は第５実施形態と同様に左右回転の双方向のローリング規制機構を構成するものであるが、鍵１１側の被規制壁部６４を１つとし、規制壁部６５の当接部６５１を水平断面コ字状にしたものである。そして、被規制壁部６４の両側の面を被規制壁６４ａ，６４ａ、当接部６５１の内側の対向する２面を規制壁６５ａ，６５ａとし、組み付け状態において被規制壁部６４が当接部６５１の内側に挿入される。これにより、被規制壁６４ａと規制壁６５ａとが１つの鍵１１当たり２対設けられている。
【００４７】
また、この実施形態では、被規制壁部６４の上部と後端部にテーパ面を成すガイド面６４ｂを誘導部として設け、当接部６５１の規制壁６５ａ，６５ａの３方周囲にテーパ面を成すガイド面６５１ｂを誘導部として設けている。これにより、当接部６５１と被規制壁部６４との組み付け時に、規制壁６５ａと被規制壁６４ａとの相対位置が概略想定範囲に収まれば、以後はガイド面６４ｂ，６５１ｂにより誘導されるので、組み立て時の作業性が向上する。
【００４８】
図９は第６実施形態と同様に誘導部（ガイド面）を設けた他の変形例を示す図である。図９(A) は第５実施形態（図７）に誘導部を適用した例であり、鍵１１側の被規制壁部５４の周囲端部を丸みを付けて誘導部５４２とし、支持体５６側の規制壁部５５の当接部５５１を球面状にして誘導部５５２としたものである。これにより、当接部５５１と被規制壁部５４との組み付け時に、規制壁５５ａと被規制壁５４ａとの相対位置が概略想定範囲に収まれば、以後は誘導部５４２，５５２により誘導されるので、組み立て時の作業性が向上する。図９(B) は第２実施形態（図４）に誘導部を適用した例であり、鍵１１側の被規制壁部２４の先端部位に紡錘型の誘導部２４２を設けたものであり、この誘導部２４２によって被規制壁部２４を鍵盤フレーム２０側の切り溝２５内に挿入し易くしている。これにより、組み立て時の作業性が向上する。
【００４９】
図１０は第７実施形態の鍵支持構造の要部分解斜視図である。この実施形態は、鍵１１を水平方向回転自在とする回転機構Ｋを備えた例である。なお、この鍵１１の水平方向回転は、鍵１１に対する鍵並び方向の揺動操作（僅かな回転）を検出するような鍵盤装置に用いることができ、この操作により、例えば音色、音量、ピッチ、リバーブ、パン、ビブラート等の楽音制御を行うのに適している。
【００５０】
鍵ユニット１０において、薄肉部１２の鍵１１と反対側の延長部１３には縦に軸受孔１３ｃが形成され、鍵盤フレーム２０の鍵支持部２０ａには円筒軸７５が形成されている。また、鍵１１の上面には薄肉部１２の上部まで延設された被規制壁部７４が形成されており、被規制壁部７４の先端には水平断面コ字状の当接部７４１が形成されている。そして、組み付け状態において、円筒軸７５は延長部１３の軸受孔１３ｃに嵌合され、被規制壁部７４の当接部７４１の内側が円筒軸７５の先端が挿入されている。これにより、当接部７４１の内面を被規制壁７４ａ，７４ａとし、これに対向する円筒軸７５の側面を規制壁７５ａ，７５ａとしている。この例も、被規制壁７４ａと規制壁７５ａとが１つの鍵１１当たり２対設けている。
【００５１】
鍵１１の押鍵時の左右方向への操作により、鍵１１及び延長部１３は円筒軸７５の中心を回転軸Ｌとして水平方向の回転が可能となる。また、鍵１１の長手方向のローリング軸Ｒを回動軸とするローリングに対して、左右何れの方向でも、僅かに回動（ローリング）するだけで被規制壁７４ａが規制壁７５ａに接触し、この回動動作が規制される。このように延長部１３と円筒軸７５は回転機構Ｋを構成しており、ローリング規制時の規制壁７５ａと被規制壁７４ａとの接触点の軌跡Ｔは、回転機構Ｋの回転軸Ｌを軸とする略同心円筒の一部となるように構成されている。これにより、鍵１１の水平方向回転時に被規制壁７４ａと規制壁７５ａとの接点が存続すればローリングに対する規制力伝達点が存在し、鍵１１の水平方面内の回転角度に対しては規制を開放状態としながら、かつ、鍵１１のローリングを規制することができる。
【００５２】
図１１は第８実施形態の鍵支持構造を適用した鍵盤装置の要部分解斜視図である。この実施形態は、複数の鍵ユニット１０を共通の鍵支持体８６により固定し、複数の鍵ユニット１０に対する各規制壁を一体構成したものである。各鍵１１の上面で薄肉部１２側には被規制壁部８４が該鍵１１と一体に形成され、この被規制壁部８４の先端には水平断面コ字状の当接部８４１が形成されている。支持体８６には、各鍵１１の被規制壁部８４に対応する複数の規制壁部８５が形成され、この規制壁部８５の先端には水平断面円形の当接部８５１が形成されている。
【００５３】
そして、各鍵ユニット１０の延長部１３を支持体８６の下部に配設し、支持体８６は図示いない固定手段により鍵盤フレーム２０に固定される。この組み付け状態において、規制壁部８５の当接部８５１が被規制壁部８４の当接部８４１の間に嵌合される。これにより、被規制壁部８４の当接部８４１と規制壁部８５の当接部８５１との対向面はそれぞれ被規制壁８４ａ，８４ａ、規制壁８５ａ，８５ａとされる。
【００５４】
この実施形態の被規制壁８４ａ，８４ａと規制壁８５ａ，８５ａによるローリング規制機構は、第５実施形態（図７）における被規制壁５４ａ，５４ａと規制壁５５ａ，５５ａによるローリング規制機構を同様に作用する。また、この実施形態における支持体８６による鍵ユニット１０の固定方法は第５実施形態と同様な構成としてもよい。
【００５５】
そして、この実施形態では、複数の鍵ユニット１０の各鍵１１に対応する複数の規制壁８５ａの各々を支持体８６の一部として一体構造により構成しているので、複数の規制壁８５ａの相対位置が正確に決まり、複数鍵１１の鍵１１上面側（鍵先端側）の鍵並び方向の整列精度が向上する。
【００５６】
以上の実施形態は白鍵について説明したが、黒鍵においても同様の構成とすることができる。ただし、黒鍵は白鍵よりも幅が狭い分、ローリングが発生しにくいので、この黒鍵については本発明を適用しなくてもよい。
【図面の簡単な説明】
【００５７】
【図１】本発明の第１実施形態の鍵支持構造を適用した鍵盤装置の要部側断面図及び背面図である。
【図２】第１実施形態の作用説明図である。
【図３】第１実施形態の変形例を示す斜視図である。
【図４】本発明の第２実施形態の鍵支持構造を適用した鍵盤装置の要部側面図及び断面図である。
【図５】本発明の第３実施形態の鍵支持構造を適用した鍵盤装置の要部側面図及び背面図である。
【図６】本発明の第４実施形態の鍵支持構造を適用した鍵盤装置の要部分解斜視図である。
【図７】本発明の第５実施形態の鍵支持構造を適用した鍵盤装置の要部分解斜視図である。
【図８】本発明の第６実施形態の鍵支持構造の要部分解斜視図である。
【図９】本発明の実施形態の誘導部を設けた他の変形例を示す図である。
【図１０】本発明の第７実施形態の鍵支持構造の要部分解斜視図である。
【図１１】本発明の第８実施形態の鍵支持構造を適用した鍵盤装置の要部分解斜視図である。
【符号の説明】
【００５８】
１０…鍵ユニット、２０…鍵盤フレーム、１１…鍵、１２…薄肉部、１３…延長部、２０ａ…鍵支持部、Ｈ…ヒンジ機構、Ｏ…回動軸、Ｒ…ローリング軸、３０…弾性体、１４…被規制壁部材、２４，３４，４４，５４，６４，７４，８４…被規制壁部、１４ａ，２４ａ，３４ａ，４４ａ，５４ａ，６４ａ，７４ａ，８４ａ…被規制壁、１５，３５…規制壁部材、２５…切り溝、４５，５５，６５，８５…規制壁部、７５…円筒軸（回転機構）、１５ａ，２５ａ，３５ａ，４５ａ，５５ａ，６５ａ，７５ａ，８５ａ…規制壁、１６，４６，５６，６６，８６…支持体、Ｓ…主要摺動接触位置、２０ｂ…位置決め突起（位置決め機構）、１３ａ…位置決め孔、４６ａ…位置決め孔、６４ｂ…ガイド面（誘導部）、６５１ｂ…ガイド面（誘導部）、２４２，５４２，５５２…誘導部、Ｋ…回転機構、１３ｃ…軸受孔（回転機構）、Ｔ…接触点の軌跡、Ｌ…回転軸
【図１】
2008076720.tif 000003
【図２】
2008076720.tif 000004
【図３】
2008076720.tif 000005
【図４】
2008076720.tif 000006
【図５】
2008076720.tif 000007
【図６】
2008076720.tif 000008
【図７】
2008076720.tif 000009
【図８】
2008076720.tif 000010
【図９】
2008076720.tif 000011
【図１０】
2008076720.tif 000012
【図１１】
2008076720.tif 000013